(57)【要約】【課題】実際の使用時以外において電球の電源回路がＯＮ状態になることを確実に防止し、またクリップ部分の製造能率を向上させる。【解決手段】円板形の絶縁体１０の直径を本体２及び頭体９の直径より僅かに大径とする。円板形の絶縁体１０に一体的に形成するクリップ支持台部１０Ａに、本体２に沿ってランプキャップ３側に伸びる、クリップ１１の長さと幅より僅かに大きくなした帯板状の遮蔽部１３を一体的に連成すると共に、該帯板状の遮蔽部１３の外面に、クリップ１１全体を受容する、クリップ１１の厚味と同等かこれより深い凹部１４を設ける。更に帯板状の遮蔽部１３のランプキャップ３側の先端に、クリップ１１の接点となる突起１１Ｂの貫挿孔１５を設けると共に、該帯板状の遮蔽部１３の長さ方向の略中央部の内面に挟み付け用突起１６を一体的に形成する。クリップ１１を絶縁体１０と帯板状の遮蔽部１３の凹部１０Ｂ，１４内に嵌入せしめると共にその先端の突起１１Ｂを帯板状の遮蔽部１３の突起の貫挿孔１５から内面に突出させる。【選択図】図２
0003119080.tif 000002
【実用新案登録請求の範囲】
【請求項１】
金属材料からなる有底円筒状の本体と、該本体の一端側開口部に螺着する、本体と同一材料からなる投光部を形成するランプキャップと、前記ランプキャップ内に差し込む電球と、前記電球に外嵌し、該電球と前記ランプキャップとの間に介装するコイルスプリングと、前記本体内に収納した乾電池と、前記本体内に収納し、前記乾電池を前記電球側に押圧付勢するコイルスプリングと、前記本体の前記ランプキャップと反対側の底部中央に設けた連結導体挿通孔に配した絶縁材料からなるワッシャと、前記本体の前記ランプキャップと反対側の底部外面に後記絶縁体及びクリップを介在させて連結する、金属材料からなる本体と同一の直径の頭体と、前記本体と頭体との間に介在し、外周に直角にクリップ支持台部を一体的に形成すると共に中央部に連結導体挿通孔を設けた円板形の樹脂材からなる絶縁体と、Ｌ字形に折曲し、連結導体挿通孔を設けた基部側を前記絶縁体の頭体側の面に設けた凹部に嵌入して保持すると共に一部を頭体に接触させ、本体に沿ってランプキャップ側に伸びる先端側の最先端の内面に接点となる突起を設けてなる金属材料からなるクリップと、前記本体と前記頭体とを連結させ、前記乾電池を押圧付勢するコイルスプリングと頭体とを電気的に導通させる金属材料からなる連結導体とからなるペンライトにおいて、前記円板形の絶縁体の直径を本体及び頭体の直径より僅かに大径となし、更に前記クリップの周囲を、接点となる突起の部分を除いて絶縁材をもって覆うようになしたことを特徴とするペンライト。
【請求項２】
円板形の絶縁体に一体的に形成するクリップ支持台部に、本体に沿ってランプキャップ側に伸びる、クリップの長さと幅より僅かに大きくなした帯板状の遮蔽部を一体的に連成すると共に、該帯板状の遮蔽部の外面に、クリップ全体を受容する、クリップの厚味と同等かこれより深い凹部を設け、更に該帯板状の遮蔽部のランプキャップ側の先端に、クリップの接点となる突起の貫挿孔を設けると共に、該帯板状の遮蔽部の長さ方向の略中央部の内面に挟み付け用突起を一体的に形成し、クリップを前記絶縁体と帯板状の遮蔽部の凹部内に嵌入せしめると共にその先端の突起を帯板状の遮蔽部の突起の貫挿孔から内面に突出させ、もってクリップの周囲を絶縁材をもって覆うようになした請求項１記載のペンライト。
【請求項３】
帯板状の遮蔽部に設けた突起の貫挿孔を、クリップの幅より若干大きな幅の長円孔となし、更に該突起の貫挿孔の先端側の上部を一部覆うように覆い部を設けてなる請求項２記載のペンライト。
【請求項４】
連結導体をネジとなし、頭体に該ネジを螺合するネジ部を刻設してなる請求項１，２又は３記載のペンライト。
【考案の詳細な説明】
【技術分野】
【０００１】  本考案は、電池によって豆電球等を点灯するペンライトに関するものである。
【背景技術】
【０００２】  病院で医師等が検死や脳障害の有無等を判定するときには、被験者の眼に光を当てて瞳孔の収縮等を確認する、いわゆる対光反射を見る方法を用いるが、この光を当てるためのものとして、従来電池によって豆電球等が点灯する小型の懐中電灯であるペンライトが用いられている。【０００３】  そしてまた、斯かるペンライトには、電源回路の構成を異にする二つのタイプがある。一つは、本体における投光部と反対側の端部に設けられたスイッチを投光部側に向けて押し出すか、或いはスイッチを回すことによって電源回路をＯＮ・ＯＦＦするものであり、もう一つは、本体における投光部と反対側の端部に設けられたクリップをスイッチとして用い、該クリップの先端を押し曲げて本体に接触させることにより電源回路のＯＮ・ＯＦＦを行うものである。【０００４】  而して、本考案は後者のタイプに属するものである。該タイプのペンライトは、図６乃至図９に示す如き構成であり、金属材料からなる有底円筒状の本体１００と、該本体１００の一端側開口部に螺着する、先端を円錐形になすと共に先端中央部に投光窓１０１Ａを設けた、本体１００と同一材料からなる投光部を形成するランプキャップ１０１と、前記ランプキャップ１０１内に差し込む電球（ニップル球、２．２Ｖ、０．２５Ａ）１０２と、前記電球１０２に外嵌し、該電球１０２と前記ランプキャップ１０１との間に介装するコイルスプリング１０３と、前記本体１００内に収納した乾電池（単４形乾電池）１０４，１０４と、前記本体１００内に収納し、前記乾電池１０４，１０４を前記電球１０２側に押圧付勢するコイルスプリング１０５と、前記本体１００の前記ランプキャップ１０１と反対側の底部中央に設けた連結導体挿通孔１００Ａに配した絶縁材料からなるワッシャ１０６と、前記本体１００の前記ランプキャップ１０１と反対側の底部外面に後記絶縁体及びクリップを介在させて連結する、金属材料からなる本体１００と同一の直径の頭体１０７と、前記本体１００と頭体１０７との間に介在し、外周に直角にクリップ支持台部１０８Ａを一体的に形成すると共に中央部に連結導体挿通孔１０８Ｂを設けた円板形の樹脂材からなる絶縁体１０８と、Ｌ字形に折曲し、連結導体挿通孔１０９Ａを設けた基部側を前記絶縁体１０８の頭体１０７側の面に設けた凹部１０８Ｃに嵌入して保持すると共に一部を頭体１０７に接触させ、本体１００に沿ってランプキャップ１０１側に伸びる先端側の最先端の内面に接点となる突起１０９Ｂを設け、更に長さ方向の略中央部の内面に樹脂材からなる突起１０９Ｃを接合してなる金属材料からなるクリップ１０９と、前記本体１００と頭体１０７とを連結させ、前記コイルスプリング１０５と頭体１０７とを電気的に導通させる金属材料からなる連結導体１１０とからなるものである。尚、該連結導体１１０はかしめているものである。【０００５】  そして、該ペンライトにおいて使用の際に点灯するときには、クリップ１０９の先端側を押し曲げてその突起１０９Ｂを本体１００に接触させるものである。これによりスイッチがＯＮとなり、電球１０２の電源回路がＯＮとなるものである。【０００６】  しかし、斯かる従来のペンライトには、次の如き問題点がある。それは使用��以外のときにおいて電球の電源回路がＯＮになり、無駄な電池の消耗が起こり易いことである。【０００７】  例えば、ペンライトを机やテーブルの上に置いたとき、その表面に導電性の材料からなるものがあると、円板形の絶縁体１０８は直径が本体１００及び頭体１０７と同一径であるから、これらの表面はフラットになり、図９における如く、本体１００と頭体１０７とは点Ａ、Ｂにおいて導通し、クリップ１０９を押すことなく電球の電源回路がＯＮになってしまう。また、ペンライトを白衣や衣服のポケットに差して持ち歩くとき、一緒に差した他のペンライトや金属製の筆記具等に接触したときに、クリップ１０９と本体１００とは点Ｃ、Ｄにおいて導通し、クリップ１０９を押さずして電球の電源回路がＯＮになってしまうことになる。【０００８】  また、斯かる従来のペンライトにおいて、クリップ１０９に接合する挟み付け用突起１０９Ｃは、白衣等のポケットに差したペンライトが何かの弾みで飛び出さないように押し付けて挟むためのものであるが、従来はこれをクリップ１０９とは別体に製作し、クリップ１０９に接着等の手段によって接合していた。しかし、このように別体に製作するための手間がかかる上に、接合に要する手間と時間がかかり、製造能率が悪かった。【０００９】  更にまた、従来のペンライトにおいては、連結導体をかしめることによって本体と頭体とを連結させていたから、一旦連結してしまうと本体と頭体、クリップ部分を分解することが殆ど不可能であった。
【考案の開示】
【考案が解決しようとする課題】
【００１０】  本考案は上記の点に鑑みなされたものであって、実際の使用時以外において電球の電源回路がＯＮ状態になることを確実に防止し、もって無駄な電池の消耗を防ぐことができるようになし、併せてクリップ部分の製造能率を向上させることができるようになしたペンライトを提供せんとするものである。
【課題を解決するための手段】
【００１１】  而して、本考案はとするところは、金属材料からなる有底円筒状の本体と、該本体の一端側開口部に螺着する、本体と同一材料からなる投光部を形成するランプキャップと、前記ランプキャップ内に差し込む電球と、前記電球に外嵌し、該電球と前記ランプキャップとの間に介装するコイルスプリングと、前記本体内に収納した乾電池と、前記本体内に収納し、前記乾電池を前記電球側に押圧付勢するコイルスプリングと、前記本体の前記ランプキャップと反対側の底部中央に設けた連結導体挿通孔に配した絶縁材料からなるワッシャと、前記本体の前記ランプキャップと反対側の底部外面に後記絶縁体及びクリップを介在させて連結する、金属材料からなる本体と同一の直径の頭体と、前記本体と頭体との間に介在し、外周に直角にクリップ支持台部を一体的に形成すると共に中央部に連結導体挿通孔を設けた円板形の樹脂材からなる絶縁体と、Ｌ字形に折曲し、連結導体挿通孔を設けた基部側を前記絶縁体の頭体側の面に設けた凹部に嵌入して保持すると共に一部を頭体に接触させ、本体に沿ってランプキャップ側に伸びる先端側の最先端の内面に接点となる突起を設けてなる金属材料からなるクリップと、前記本体と前記頭体とを連結させ、前記乾電池を押圧付勢するコイルスプリングと頭体とを電気的に導通させる金属材料からなる連結導体とからなるペンライトにおいて、前記円板形の絶縁体の直径を本体及び頭体の直径より僅かに大径となし、更に前記クリップの周囲を、接点となる突起の部分を除いて絶縁材をもって覆うようになしたことを特徴とするペンライトにある。【００１２】  また、上記構成において、円板形の絶縁体に一体的に形成するクリップ支持台部に、本体に沿ってランプキャップ側に伸びる、クリップの長さと幅より僅かに大きくなした帯板状の遮蔽部を一体的に連成すると共に、該帯板状の遮蔽部の外面に、クリップ全体を受容する、クリップの厚味と同等かこれより深い凹部を設け、更に該帯板状の遮蔽部のランプキャップ側の先端に、クリップの接点となる突起の貫挿孔を設けると共に、該帯板状の遮蔽部の長さ方向の略中央部の内面に挟み付け用突起を一体的に形成し、クリップを前記絶縁体と帯板状の遮蔽部の凹部内に嵌入せしめると共にその先端の突起を帯板状の遮蔽部の突起の貫挿孔から内面に突出させ、もってクリップの周囲を絶縁材をもって覆うようになしてもよい。そしてまた、斯かる構成において、帯板状の遮蔽部に設けた突起の貫挿孔を、クリップの幅より若干大きな幅の長円孔となし、更に該突起の貫挿孔の先端側の上部を一部覆うように覆い部を設けるようにしてもよい。
【考案の効果】
【００１３】  本考案は上記の如き構成であるから、実際の使用時以外において電球の電源回路がＯＮ状態になることを確実に防止し、もって無駄な電池の消耗を防ぐことができる。また、併せてクリップ部分の製造能率を向上させることができるものである。更にまた、本体と頭体、クリップ部分を容易に分解することができるものであり、もってリサイクルが可能となるものである。
【考案を実施するための最良の形態】
【００１４】  本考案を実施するための最良の形態は、本体における投光部と反対側の端部に設けられたクリップをスイッチとして用い、該クリップの先端を押し曲げて本体に接触させることにより電球の電源回路のＯＮ・ＯＦＦを行うペンライトにおいて、円板形の絶縁体の直径を本体及び蓋体の直径より僅かに大径となし、更にクリップの周囲を、接点となる突起の部分を除いて絶縁材をもって覆うようになすことにある。
【実施例】
【００１５】  以下、本考案の実施例について説明する。
図１は本考案の実施例に係るペンライトの斜視図、図２は同中央縦断面図、図３は要部の拡大斜視図、図４及び図５はクリップ部分の組み立て説明図である。【００１６】  図中、１はペンライトである。また、該ペンライト１は、基本的な構成においては従来のペンライトと同様である。即ち、金属材料からなる有底円筒状の本体２と、該本体２の一端側開口部に螺着する、先端を円錐形になすと共に先端中央部に投光窓３Ａを設けた、本体２と同一材料からなる投光部を形成するランプキャップ３と、前記ランプキャップ３内に差し込む電球（ニップル球、２．２Ｖ、０．２５Ａ）４と、前記電球４に外嵌し、該電球４と前記ランプキャップ３との間に介装するコイルスプリング５と、前記本体２内に収納した乾電池（単４形乾電池）６，６と、前記本体２内に収納し、前記乾電池６，６を前記電球４側に押圧付勢するコイルスプリング７と、前記本体２の前記ランプキャップ３と反対側の底部中央に設けた連結導体挿通孔２Ａに配した絶縁材料からなるワッシャ８と、前記本体２の前記ランプキャップ３と反対側の底部外面に後記絶縁体及びクリップを介在させて連結する、金属材料からなる本体２と同一の直径の頭体９と、前記本体２と頭体９との間に介在し、外周に直角にクリップ支持台部１０Ａを一体的に形成すると共に中央部に連結導体挿通孔１０Ｂを設けた円板形の樹脂材からなる絶縁体１０と、Ｌ字形に折曲し、連結導体挿通孔１１Ａを設けた基部側を前記絶縁体１０の頭体９側の面に設けた凹部１０Ｃに嵌入して保持すると共に一部を頭体９に接触させ、本体２に沿ってランプキャップ３側に伸びる先端側の最先端の内面に接点となる突起１１Ｂを設けてなる金属材料からなるクリップ１１と、前記本体２と頭体９とを連結させ、前記乾電池を押圧付勢するコイルスプリング７と頭体９とを電気的に導通させる金属材料からなる連結導体１２とからなるものである。【００１７】  そして、該ペンライト１において使用の際に点灯するときには、クリップ１１の先端側を押し曲げてその突起１１Ｂを本体２に接触させるものである。これによりスイッチがＯＮとなり、電球４の電源回路がＯＮとなるものである。【００１８】而して、本実施例において特徴とする点は、円板形の絶縁体１０の直径を本体２及び頭体９の直径より僅かに大径となし、更に該円板形の絶縁体１０に一体的に形成するクリップ支持台部１０Ａに、本体２に沿ってランプキャップ３側に伸びる、クリップ１１の長さと幅より僅かに大きくなした帯板状の遮蔽部１３を一体的に連成すると共に、該帯板状の遮蔽部１３の外面にクリップ１１全体を受容する、クリップ１１の厚味と同等かこれより深い凹部１４を設け、更に該帯板状の遮蔽部１３のランプキャップ３側の先端に、クリップ１１の接点となる突起１１Ｂの貫挿孔１５を設けると共に、該帯板状の遮蔽部１３の長さ方向の略中央部の内面に挟み付け用突起１６を一体的に形成し、クリップ１１を前記絶縁体１０と帯板状の遮蔽部１３の凹部１０Ｂ，１４内に嵌入せしめると共にその先端の突起１１Ｂを帯板状の遮蔽部１３の突起の貫挿孔１５から内面に突出させたことにある。また、本実施例においては、突起の貫挿孔１５をクリップ１１の幅より若干大きな幅の長円孔となし、��に該突起の貫挿孔１５の先端側の上部を一部覆うように覆い部１３Ａを設けている。【００１９】  本実施例によれば、円板形の絶縁体１０の直径が本体２及び頭体９の直径よりも大径であるから、ペンライト１を机やテーブルの上に置いたとき、その表面に導電性の材料からなるものがあったとしても、本体２の頭体９側は円板形の絶縁体１０により浮き上がり、よって本体２と頭体９との間で電気的に導通する虞はない。また、ペンライト１を白衣や衣服のポケットに差して持ち歩くとき、一緒に差した他のペンライトや金属製の筆記具等に接触したとしても、クリップ１１は絶縁体１０と帯板状の遮蔽部１３の凹部１０Ｂ、１４内に嵌入してある、即ち、クリップ１１の周縁部は完全に遮蔽されていることから、クリップ１１と本体２との間で電気的に導通する虞はない。【００２０】  また、従来においては別体に製作し、クリップに接合していた挟み付け用突起１６は、絶縁体１０及びクリップ支持台部１０Ａと帯板状の遮蔽部１３の成形時にこれらと一体的に成形することにより従来の場合おける手間と時間を省略することができ、クリップ部分の製造能率を高めることができるものである。【００２１】  また、このクリップ部分の組み立ては、図４及び図５に示す通りであり、先ず、クリップ１１の先端を帯板状の遮蔽部１３に設けた突起の貫挿孔１５に斜め後方から挿通させ、その後クリップ１１の基部側を下げて帯板状の遮蔽部１３の凹部１４及び絶縁体１０の凹部１０Ｃに嵌め込むものである。【００２２】  また、従来においては、連結導体をかしめることによって本体と頭体とを連結させていたから、一旦連結してしまうと本体と頭体、クリップ部分を分解することができなかったが、本考案では連結導体をネジとなし、頭体に該ネジを螺合するネジ部を刻設したから、ネジを外すことによって本体と頭体、クリップ部分を容易に分解することができるものである。もってリサイクルが可能となるものである。尚、組み立てるときには、先ず連結導体であるネジ１２をコイルスプリング７に挿通し、更にワッシャ８に挿通する。その後本体２の底部の連結導体挿通孔２Ａに挿通した後、絶縁体１０とクリップ１１の夫々の連結導体挿通孔１０Ｂ、１１Ａに挿通し、最後に頭体９のネジ部９Ａに螺合するものである。
【図面の簡単な説明】
【００２３】
【図１】本考案の実施例に係るペンライトの斜視図である。
【図２】本考案の実施例に係るペンライトの中央縦断面図である。
【図３】本考案の実施例に係るペンライトの要部の拡大斜視図である。
【図４】クリップ部分の組み立て説明図である。
【図５】クリップ部分の組み立て説明図である。
【図６】従来品の構成説明図である。
【図７】従来品の中央縦断面図である。
【図８】従来品のクリップ部分の分解状態の斜視図である。
【図９】従来品のクリップ部分の拡大斜視図である。
【符号の説明】
【００２４】１  ペンライト
２  本体
３  ランプキャップ
４  電球
５  コイルスプリング
６、６  乾電池
７  コイルスプリング
８  ワッシャ
９  頭体
１０  絶縁体
１０Ａ  クリップ支持台部
１０Ｂ  凹部
１１  クリップ
１１Ｂ  接点となる突起
１２  連結導体
１３  帯板状の遮蔽部
１４  凹部
１５  クリップの突起の貫挿孔
１６  挟み付け用突起
【図１】
0003119080.tif 000003
【図２】
0003119080.tif 000004
【図３】
0003119080.tif 000005
【図４】
0003119080.tif 000006
【図５】
0003119080.tif 000007
【図６】
0003119080.tif 000008
【図７】
0003119080.tif 000009
【図８】
0003119080.tif 000010
【図９】
0003119080.tif 000011